(57)【要約】【課題】主材料を金属板材とすることにより、製造工程を簡略化するとともに、幅広いデザインを施すことができるフルリムタイプの眼鏡フレームを提供する。【解決手段】金属板材を主材料とし、上下の智を備えるリム２０の両外側部が延長されるとともに、後方に向って折り曲げられ、その端部に蝶番８０を介してテンプル９０が連結されてなる。また、金属板材を主材料とし、上下の智を備えるリム２０と、前記智の一部にロウ付けされるヨロイと、蝶番８０を介して該ヨロイに連結されるテンプル９０とを備え、前記リム２０、ヨロイ及びテンプル９０が、同一金属板材を主材料としてなる。【選択図】図１
2011017986.tif 000002
【特許請求の範囲】
【請求項１】
金属板材を主材料とするフルリムタイプの眼鏡フレームであって、
上下の智を備えるリムの両外側部が延長されるとともに、後方に向って折り曲げられ、その端部に蝶番を介してテンプルが連結されてなることを特徴とする眼鏡フレーム。
【請求項２】
前記テンプルが、前記金属板材を主材料として形成されてなる請求項１に記載の眼鏡フレーム。
【請求項３】
金属板材を主材料とするフルリムタイプの眼鏡フレームであって、
上下の智を備えるリムと、前記智の一部にロウ付けされるヨロイと、蝶番を介して該ヨロイに連結されるテンプルとを備え、前記リム、ヨロイ及びテンプルが、同一金属板材を主材料としてなることを特徴とする眼鏡フレーム。
【請求項４】
前記リムが、眼鏡レンズの周囲に形成された溝に嵌め込まれるように形成されてなる請求項１乃至３の何れかに記載の眼鏡フレーム。
【発明の詳細な説明】
【技術分野】
【０００１】
本発明は眼鏡フレームに関し、特に、素材として金属板材をフルに活用した金属製フルリムの眼鏡フレームに関する。
【背景技術】
【０００２】
従来から一般的に使用されている金属製フルリムの眼鏡フレームを図１１に示す。眼鏡フレーム１１０は、レンズ嵌め込み用の溝１２１を備えるリム１２０の外側部に、上側の智１３１と下側の智１３２が形成され、上下の智１３１、１３２をねじ１３３で連結することによりレンズを固定するようになっている。
【０００３】
このような眼鏡フレーム１１０の製作には溝１２１を備える線材を使用し、溝１２１を内側にして環状に形成する。そして、図１１（２）に示すように線材の両端を当接させ、智部材１３０をロウ付けした後、智部材１３０をａ部で２つに切断して上下の智１３１、１３２を形成している。
【０００４】
このように、線材から形成されたリム１２０を備える眼鏡フレーム１１０は、前方から見たときにリムの幅が一定であるために、単調な形状となり、変化に富んだデザインを施すことができない。そこで特許文献１には、リム１２０の素材として、線材を使用する替わりに、板材を使用することが提案されている。
【０００５】
図１０に示すように、特許文献１に記載された眼鏡フレーム１１１は、リム１２０の素材として金属の板材を使用し、打ち抜き加工によってリム１２０全体を打ち抜く方法で製造されている。そして、打ち抜かれたリム１２０にレンズ嵌め込み用の溝１２１を切削形成し、従来と同様の方法で上下の智１３１、１３２を形成することが記載されている。通常は、上側の智１３１にヨロイ１５０がロウ付けされ、蝶番を介してテンプル１９０が取付けられる。
【０００６】
眼鏡フレーム１１１は、金属板材を素材としていることから、前方から見たリム１２０の幅に変化を持たせることができる。また、大きく形成したリム１２０に、プレス加工を行うことにより、凹凸模様や透かし模様を形成することができる。したがって、変化に富んだリム１２０のデザインを行うことができる。
【０００７】
しかしながら、眼鏡フレーム１１１は、単にリム１２０素材を線材から板材に変えただけで、上下の智１３１、１３２、ヨロイ１５０及びテンプル１９０の形成・取付けに関しては従来の方法が踏襲されている。すなわち、眼鏡フレーム１１１全体の製造工程については、それほど大きな改善は見当たらない。
【先行技術文献】
【特許文献】
【０００８】
【特許文献１】特開平５−１０７５０７号公報
【発明の概要】
【発明が解決しようとする課題】
【０００９】
この発明が解決しようとする課題は、フルリムタイプの眼鏡フレームであって、リム、ヨロイ及びテンプルの主材料として金属板材を使用することによって、幅広いデザインを可能にするとともに、製造工程を簡略化し、コストを削減することができる眼鏡フレームを提供することである。
【課題を解決するための手段】
【００１０】
本発明の請求項１に係る眼鏡フレームは、金属板材を主材料とするフルリムタイプの眼鏡フレームであって、上下の智を備えるリムの両外側部が延長されるとともに、後方に向って折り曲げられ、その端部に蝶番を介してテンプルが連結されてなる手段を採用している。
【００１１】
また、本発明の請求項２に係る眼鏡フレームは、請求項１に記載の眼鏡フレームであって、前記テンプルが、前記金属板材を主材料として形成されてなる手段を採用している。
【００１２】
また、本発明の請求項３に係る眼鏡フレームは、金属板材を主材料とするフルリムタイプの眼鏡フレームであって、上下の智を備えるリムと、前記智の一部にロウ付けされるヨロイと、蝶番を介して該ヨロイに連結されるテンプルとを備え、前記リム、ヨロイ及びテンプルが、同一金属板材を主材料としてなる手段を採用している。
【００１３】
また、本発明の請求項４に係る眼鏡フレームは、請求項１乃至３の何れかに記載の眼鏡フレームであって、前記リムが、眼鏡レンズの周囲に形成された溝に嵌め込まれるように形成されてなる手段を採用している。
【発明の効果】
【００１４】
本発明の眼鏡フレームは、リム、ヨロイ及びテンプルの主材料として金属板材を使用することによって、幅広いデザインを可能にするとともに、製造工程を簡略化し、コストを低減することができる。
【図面の簡単な説明】
【００１５】
【図１】第１の発明に係る眼鏡フレームの一例を示す概略平面図である。
【図２】図１に示す眼鏡フレームであって、（１）は概略正面図、（２）は概略側面図を示す。
【図３】（１）は図２（１）におけるＡ−Ａ矢視の拡大図を示し、（２）は図２（２）におけるＢ−Ｂ矢視の拡大図を示す。
【図４】図１に示す眼鏡フレームの（１）はフロント部、（２）はテンプルを示し、何れも打ち抜かれた状態を示している。
【図５】図１に示す眼鏡フレームの智部材及び蝶番の連結部材を示し、（１）（２）は智部材の平面図及び側面図、（３）（４）は蝶番を構成する一方の連結部材の平面図及び側面図、（５）（６）は他方の連結部材の平面図及び側面図である。
【図６】第２の発明に係る眼鏡フレームの一例を示す概略平面図である。
【図７】図６に示す眼鏡フレームであって、（１）は概略正面図、（２）は概略側面図を示す。
【図８】（１）は図７（１）におけるＣ−Ｃ矢視の拡大図を示し、（２）（３）は智部材の平面図及び側面図である。
【図９】図６に示す眼鏡フレームの（１）はフロント部、（２）はテンプルを示し、何れも打ち抜かれた状態を示している。
【図１０】従来の眼鏡フレームの一例を示し、（１）はヨロイを取付ける前の状態であり、（２）はヨロイ及びテンプルを取付けた状態を示す。
【図１１】従来の眼鏡フレームの他の例を示し、（１）は上下の智が分離された状態であり、（２）はリム部材の外側部に智部材を取付けた状態を示す。
【発明を実施するための形態】
【００１６】
＜第１の発明＞
本発明の実施の一例である眼鏡フレーム１０について、図１〜５を参照して詳細に説明する。図１は眼鏡フレーム１０の全体図を示している。眼鏡フレーム１０は、金属板材を主材料とするフルリムタイプの眼鏡フレームである。そして、フロント部４０に一対のレンズ４２を保持するリム２０を備えるとともに、その両外側部２１が延長されて後方に向って折り曲げられ、その端部に蝶番８０を介してテンプル９０が連結されている。なお、リム２０は中央のブリッジ４１と一体に形成されている。
【００１７】
図２（１）は眼鏡フレーム１０の正面図を示している。また、（２）は眼鏡フレーム１０の側面図を示している。眼鏡フレーム１０は、リム２０の両外側部２１が延長されるとともに折り曲げられ、これによって従来のヨロイに相当する両端部が形成されていることを特徴としている。また、テンプル９０も、同一の金属板材を主材料として形成することができる。なお、テンプル９０には、柔軟な材質のモダン９１が取付けられている。
【００１８】
図３（１）は、図２（１）におけるＡ−Ａ矢視の一部断面拡大図であって、リム２０の外側部２１の裏面側に上下の智３１、３２が形成され、ねじ３３で止められていることを示している。上下の智３１、３２は、リム２０に直接取付けられている。すなわち、リム２０の外側部２１が、ヨロイの役目を果たしている。
【００１９】
図３（２）は、図２（２）におけるＢ−Ｂ矢視の拡大図であって、通常の蝶番８０によって、リム２０とテンプル９０の両端部が連結されていることを示している。すなわち、一方の連結部材８１が、リム２０の外側部２１に取付けられている。また、他方の連結部材８２がテンプル９０の端部に取付けられている。そして、２つの部材８１、８２が軸ねじ８３で連結されている。
【００２０】
図４（１）（２）は、眼鏡フレーム１０のフロント部４０及びテンプル９０が、金属板材から打ち抜かれたときの状態を示している。フロント部４０は、ヨロイに相当する外側部２１及びブリッジ４１が、リム２０とともに一体に形成されている。テンプル９０は、打ち抜き加工により複雑な外形線が形成されている。
【００２１】
図５（１）及び（２）は、眼鏡フレーム１０の智部材３０を示し、（１）はその平面図であり（２）はその側面図である。智部材３０は、図のａ部で２つに切断されて、上側の智３１と下側の智３２を形成する。また、上下の智３１、３２はねじ３３で連結されるので、智３１にはねじ３３と螺合するねじ孔３４が形成され、智３２には貫通孔３５が形成されている。
【００２２】
図５（３）〜（６）は蝶番８０を示し、（３）（４）は一方の連結部材８１の平面図及び側面図、（５）（６）は他方の連結部材８２の平面図及び側面図である。連結部材８１は、２つの連結片８４、８５を備えている。連結片８４には貫通孔８８が形成され、連結片８５にはねじ孔８７が形成されている。
【００２３】
連結部材８２は、貫通孔８９を備える１つの連結片８６を備えている。そして、連結部材８１の２つの連結片８４、８５の間に連結部材８２の連結片８６を差し込むとともに、軸ねじ８３を貫通孔８８、８９に挿通して、ねじ孔８７に螺合することができる。これによって、軸ねじ８３を中心に一方の連結部材８１と他方の連結部材８２とを、回動自在に連結することができる。
【００２４】
本発明の眼鏡フレーム１０は、リム２０とともにヨロイに相当する外側部２１、及びブリッジ４１を金属板材で一体に形成することができる。また、テンプル９０も同一の金属板材で製作することができる。これらは、打ち抜き加工により一度に製作することができるので、製造工程を簡略化し、コストの低減を図ることができる。また、板材を使用したリム２０やテンプル９０などに、従来にないデザインを施すことができる。
【００２５】
＜第２の発明＞
本発明の他の一例である眼鏡フレーム１１について、図６〜９を参照して詳細に説明する。図６は眼鏡フレーム１１の全体図を示している。眼鏡フレーム１１は、金属板材を主材料とするフルリムタイプの眼鏡フレームである。すなわち、一対のリム２０とブリッジ４１を備えるフロント部４０が金属板材から形成されている。また、ヨロイ５０及びテンプル９０も金属板材から形成されている。これらは、同一の金属板材から打ち抜き加工により形成されることが好ましい。
【００２６】
図７（１）は眼鏡フレーム１１の正面図を示している。また、（２）は眼鏡フレーム１１の側面図を示している。眼鏡フレーム１１は、ブリッジ４１、リム２０、ヨロイ５０及びテンプル９０が、同一金属板材を主材料としてなることを特徴としている。なお、テンプル９０には、柔軟な材質のモダン９１が取付けられている。
【００２７】
図８（１）は、図７（１）におけるＣ−Ｃ矢視の拡大図であって、ヨロイ５０に上下の智３１、３２が形成され、ねじ３３で止められていることを示している。ヨロイ５０は、智３１、３２の一部にロウ付けされ、通常は上側の智３１にロウ付けされる。なお、蝶番８０に関しては、先に図３（２）に示したものと同一である。
【００２８】
図８（２）及び（３）は、眼鏡フレーム１１の智部材３０を示し、（２）はその平面図であり（３）はその側面図である。智部材３０は、図のａ部で２つに切断されて、上側の智３１と下側の智３２を形成する。また、上下の智３１、３２はねじ３３で連結されるので、智３１にはねじ３３と螺合するねじ孔３４が形成され、智３２には貫通孔３５が形成されている。
【００２９】
図９（１）（２）は、眼鏡フレーム１１のフロント部４０及びテンプル９０が、金属板材から打ち抜かれたときの状態を示している。フロント部４０は、ブリッジ４１がリム２０とともに一体に形成されている。テンプル９０は、打ち抜き加工により複雑な外形線が形成されている。
【００３０】
本発明の眼鏡フレーム１１は、フロント部４０、テンプル９０及びヨロイ５０が、同一の金属板材を使用して、打ち抜き加工により一度に製作することができるので、製造工程を簡略化し、コストの低減を図ることができる。また、板材を使用したリム２０やテンプル９０などに、従来にないデザインを施すことができる。
【符号の説明】
【００３１】
１０、１１、１１０、１１１    眼鏡フレーム
２０、１２０    リム
２１    外側部
３０、１３０    智部材
３１、３２、１３１、１３２    智
３３、１３３    ねじ
３４、８７    ねじ孔
３５、８８、８９    貫通孔
４０    フロント部
４１    ブリッジ
４２    レンズ
５０、１５０    ヨロイ
８０    蝶番
８１、８２    連結部材
８３    軸ねじ
８４、８５、８６    連結片
９０、１９０    テンプル
９１    モダン
１２１    溝
【図１】
2011017986.tif 000003
【図２】
2011017986.tif 000004
【図３】
2011017986.tif 000005
【図４】
2011017986.tif 000006
【図５】
2011017986.tif 000007
【図６】
2011017986.tif 000008
【図７】
2011017986.tif 000009
【図８】
2011017986.tif 000010
【図９】
2011017986.tif 000011
【図１０】
2011017986.tif 000012
【図１１】
2011017986.tif 000013